(57)【要約】光ガイドへと光を結合する照明装置および方法が開示される。光源は光ガイドの中に埋め込まれている。光ガイドは、対向する側面に配置された第１および第２外側面を含む。前方方向Ｆは、光源から第１外側面に対して平行に延びている。コリメータが、光ガイドの中に埋め込まれている。コリメータは、第２外側面に向いて面している第１リフレクタ面および第１外側面に向いて面している第２リフレクタ面を含む。光源は、第１および第２リフレクタ面の間で光を放射するように構成されている。第１リフレクタ面は、前方方向Ｆに対して少なくとも実質的に平行に配置されている。第２リフレクタ面の少なくとも一部は、前方方向Ｆに対して角度αを成すように配置されている。
2019516227.tif 000002
【特許請求の範囲】
【請求項１】
光ガイドの中に埋め込まれた光源であり、
前記光源は、少なくとも第１外側面および第２外側面を含み、
前記第１外側面および前記第２外側面は、前記光ガイドの対向する側面に配置されており、
前方方向が、前記光ガイドに沿って前記光源から前記第１外側面に対して平行に延びている、
光源と、
前記光ガイドの中に埋め込まれたコリメータであり、
前記コリメータは、少なくとも前記第２外側面に向いて面している第１リフレクタ面および前記第１外側面に向いて面している第２リフレクタ面を含み、
前記光源は、前記第１リフレクタ面と前記第２リフレクタ面との間で光を放射するように構成されている、
コリメータと、を含み、
前記第１リフレクタ面は、前記前方方向に対して少なくとも実質的に平行に配置されており、かつ、
前記第２リフレクタ面の少なくとも一部は、前記前方方向に対して角度を成すように配置されている、
照明装置。
【請求項２】
前記第１リフレクタ面は、前記光源から測定して、第１リフレクタ長さだけ前記前方方向へと延びており、
前記第２リフレクタ面は、前記光源から測定して、第２リフレクタ長さだけ前記前方方向へと延びており、
前記第２リフレクタ長さは、前記第１リフレクタ長さよりも大きい、
請求項１に記載の照明装置。
【請求項３】
前記第２リフレクタ長さは、前記第１リフレクタ長さよりも少なくとも２０パーセント大きい、
請求項２に記載の照明装置。
【請求項４】
前記角度、前記第１リフレクタ長さ、および、前記第２リフレクタ長さは、前記光源から放射される光が、前記第１外側面または前記第２外側面での入射角（Θ）が臨界角（Θｃ）よりも大きい方向へと前記光ガイドに沿って方向付けられるように、選択される、
請求項１乃至３いずれか一項に記載の照明装置。
【請求項５】
前記角度は、２．５°から２５°で選択される、
請求項１乃至４いずれか一項に記載の照明装置。
【請求項６】
前記角度は、７°から２０°で選択される、
請求項１乃至５いずれか一項に記載の照明装置。
【請求項７】
前記コリメータは、少なくとも前記第１リフレクタ面を含む第１リフレクタ部材および前記第２リフレクタ面を含む第２リフレクタ部材を含む、
請求項１乃至６いずれか一項に記載の照明装置。
【請求項８】
前記第２リフレクタ面は、少なくとも前記前方方向に対して少なくとも実質的に平行に延びている第１部分および前記前方方向に対して前記角度を成して延びている第２部分を含む、
請求項１乃至７いずれか一項に記載の照明装置。
【請求項９】
前記光ガイドは平坦な形状を有し、前記光源がエッジに配置されている、
請求項１乃至８いずれか一項に記載の照明装置。
【発明の詳細な説明】
【技術分野】
【０００１】
本発明は、照明装置に関し、かつ、光を光ガイドへと結合する方法に関する。
【背景技術】
【０００２】
光は、光ガイド（light  guide）、つまり透明な中実体（solid  body）の中で、全内部反射（total  internal  reflection、TIR）の原理に基づいて伝搬する。光ガイドの透明材料、例えばシリコーン（silicone）といったものは、周囲の材料、例えば空気、よりも高い密度を有している。臨界角（critical  angle）より大きい入射角で媒体境界に当たる光線（rays  of  light）は、完全に反射される。
【０００３】
異なるタイプおよび形状の光ガイドが知られている。特に、例えば平面形状の、光ガイドが、照明目的のために使用され得る。光ガイド内の長距離のための光の伝搬によって、いくつかの光源、例えばLED、からの光の非常に効率的な混合を達成することができ、出射面からの光の均一な抽出を可能にしている。
【０００４】
光源からの光、特にはLEDからのもの、を光ガイドへと方向付けるために、光ガイドの中に埋め込まれた光源を提供することが知られている。つまり、LEDの発光面が光ガイド材料と直接接触する、といったものである。しかしながら、ランバート発光器（lambertian  emitter）といった、広い角度範囲にわたり光を放射する光源については、光ガイドの外側面における輝点（bright  spot）を避けるように手段が講じられる必要がある。臨界角未満の入射角の下で外側面に当たっている光源から発せられた光のせいである。
【０００５】
米国特許第9297513号は、コリメータ（collimator）を伴うディスプレイ装置を開示している。コリメータは第１および第２のリフレクタと、コリメータの第１および第２のリフレクタの間に配置された光源モジュールと、光源モジュールを支持するように構成されたブラケットと、を含んでいる。本装置は、光学部材を含んでよい。
【０００６】
空気ガイドが、第２の反射器と光学部材との間に画定されてよい。
【発明の概要】
【０００７】
光を光ガイドへと結合（coupling）させる照明構成および方法を提案することが目的であると考えられてよい。照明構成および方法は、横断方向における小さな寸法を維持している一方で、光ガイドの外側面における輝点を回避するものである。
【０００８】
この目的を考慮して、請求項１に記載の照明装置および請求項１０に記載の方法が提案される。従属請求項は、好ましい実施形態を参照するものである。
【０００９】
本発明の一つの態様に従って、照明装置は、光ガイドの中に埋め込まれた光源を含んでいる。単一の光源または複数の光源、特にはアレイ状またはライン状に配列された複数の光源、が設けられてよい。一方、一般的には任意のタイプの光源が使用され得るが、発光ダイオード（LED）、有機発光ダイオード（OLED）、レーザダイオード、等といったソリッドステート照明要素が好ましい。
【００１０】
光ガイドは、光の伝搬（propagation）に適した任意の材料から成ってよい。例えば、ガラスまたは透明プラスチックである。
【００１１】
光ガイドは、少なくとも第１外側面および対向する第２外側面を含む。前方方向（forward  direction）が、光ガイドに沿って光源から第１外側面に対して平行に延びているものとして画定され得る。光ガイドは、一般的に、任意の形状であってよい。例えば、円柱状、平坦、プリズム形状、等といったものである。平坦形状が好ましい場合において、対向する第１および第２外側面は、平行に配置されてよく、もしくは、−変化する厚さを有する平坦形状（くさび形状）の場合には−お互いに関して傾斜している。
【００１２】
一つの態様に従って、コリメータは光ガイドの中に埋め込まれている。コリメータは、少なくとも第１および第２リフレクタ面を含んでいる。第１リフレクタ面は、第２外側面に向いて面するように配置されており、かつ、第２リフレクタ面は、第１外側面に向いて面するように配置されてよい。光源は、第１および第２リフレクタ面の間で光を放射するように構成されている。従って、コリメータのリフレクタ面は、光ガイドの中を伝搬するために光源から放射された光を形成するように機能し得る。特に、コリメータは、光ガイドの深さまたは厚さ寸法に関して放射された光線の幅を制限するように機能し得る。例えば、第１外側面に対して垂直な方向である。
【００１３】
一つの態様に従って、第１リフレクタ面は、前方方向に対して少なくとも実質的に平行に配置されてよく、一方で、第２リフレクタ面は、前方方向に対してある角度を成すように配置されてよい。第１および第２リフレクタ面の両方が傾斜しているコリメータと比較して、そうした構成には、光ガイドの深さ方向、例えば第１面に対して垂直、において測定された、低減された厚さを備えることができる。本コンテクストにおいて、用語「実質的に平行（”substantially  parallel”）」は、厳密に平行な方向、並びに、そこからのわずかな逸脱を含むものと理解することができる。逸脱は、５°未満、好ましくは３°未満、最も好ましくは１°未満であってよい。
【００１４】
第１リフレクタ面を担持する部材は、例えば第１リフレクタ部材と呼ばれてよいが、前方方向に対して平行に延び得るので、厚さに対してはほとんど貢献しない。第２リフレクタを担持する部材、つまり第２リフレクタ部材は、前方方向に対して角度を成して延びるように配置されてよい。第１および第２リフレクタ面の間で光源から放射される光の幅を適切に制限するために必要とされる全体の厚さは、比較的小さく保つことができる。
【００１５】
一つの実施形態に従って、第２リフレクタ面の角度、および、第１および第２リフレクタ面の長さは、光源から放射された光が、光の入射角、少なくとも第１または第２外側面いずれかとの最初のコンタクトにおけるものが、臨界角より大きいような方向へと、光ガイドに沿って方向付けされるように、選択され得る。そうして、全反射が生じる。好ましい実施形態の説明において与えられる実施例が示すように、所与の臨界角、および、第１および第２リフレクタ面の間の所与の最小距離（その間に配置され得る光源の高さに対応するもの）について、第１および第２リフレクタ面の寸法は、従って、好適な角度の下での全ての光線の放射がTIR特性を確定すること保証するために、第２リフレクタ面の角度に応じて選択され得る。
【００１６】
好ましい実施形態において、前方方向に対する第２リフレクタ面の傾斜角度は、例えば、２．５−２５°である。詳細な実施形態に示されるように、より低い角度は、非常に長いコリメータ長を必要とし得るので、傾斜角度は、少なくとも５°、または少なくとも６°であることがさらに好ましい。最も好ましくは、傾斜角度は７−２０°であり得る。
【００１７】
さらに好ましい実施形態に従って、第１リフレクタ面は、光源から測定された、第１リフレクタ長さだけ前方方向へと延びてよく、そして、第２リフレクタ面は、同様に光源から測定された、第２リフレクタ長さだけ前方方向へと延びてよい。望ましくは、第２リフレクタ長さは、第１リフレクタ長さよりも大きい。特に、第１リフレクタ長さより少なくとも１５％大きい第２リフレクタ長さを備えることが好ましい。さらに好ましくは、第２リフレクタ長さを第１リフレクタ長さで割った比率（quotient）は、特に５°またはそれ以上の第２リフレクタ面の傾斜角度について、少なくとも１．３である。さらに好ましくは、特に７．５°またはそれ以上の傾斜角度について、比率は少なくとも１．５であってよい。いくつかの実施形態においては、特に、より大きな傾斜角度について、比率は１．７より大きく、または、２より大きくてよい。
【００１８】
好ましい実施形態に従って、コリメータは、少なくとも第１および第２リフレクタ部材を含み得る。第１リフレクタ部材は第１リフレクタ面を含み、そして、第２リフレクタ部材は第２リフレクタ面を含んでいる。リフレクタ部材は、例えば、光ガイド材料の中に埋め込まれた平面ミラー要素であってよい。リフレクタ面の配置に対応して、第１リフレクタ部材は、前方方向に対して平行に配置され、そして、第２リフレクタ部材は、ある角度を成して配置されてよい。
【００１９】
一つの好ましい態様に従って、第２リフレクタ面は、異なる方向の下に配置された複数の部分を含んでよい。例えば、第２リフレクタ面は、前方方向に対して少なくとも実質的に平行に延びている第１部分、および、前方方向に対して上記の角度の下で延びている第２部分を含んでよい。第１および第２部分は、それぞれ平面であり、そして、エッジによって分離されてよい。
【００２０】
光ガイドは任意の形状および寸法であってよいが、平行な第１および第２面を有するか又はくさび形状であるかいずれかの、平坦な形状の光ガイドを備えることが好ましい。光源はその一方のエッジに配置されてよい。さらに好ましくは、複数の光源がエッジに沿って配置されてよい。対応するコリメータ、または、複数のコリメータも、また、エッジに対して平行に延びてよい。
【００２１】
本発明に係るこれら及び他の態様は、これ以降に説明される実施形態から明らかになり、かつ、実施形態を参照して明確にされるだろう。
【図面の簡単な説明】
【００２２】
【図１】図１は、一つの実施形態に従って、照明装置の斜視図を示している。
【図２】図２は、Ａ−Ａに沿った断面を用いた図１の照明装置の断面図を示している。
【図３】図３は、照明装置の第２の実施形態に係る断面図を示している。
【図４】図４は、角度に応じてコリメータ及びそのパーツの長さと厚さのダイヤグラムを示している。
【発明を実施するための形態】
【００２３】
図１は、厚さD、幅W、および長さLを有する平坦な、平面光ガイド10を示している。光ガイド10は、対向する上面12および下面14を含み、そして、エッジによって縁取られている（bordered）。一方のエッジ16に沿って、光源18がコリメータ20と共に配置されている。
【００２４】
図１において模式的に示されるように、光源18からの光は、光ガイド10へと結合される。光ガイド10は、透明な材料、例えばシリコーン、で形成されている。光は、コリメータ20を通じて光源18から放射され、光ガイド10の中を伝搬する。
【００２５】
全反射（TIR）が生じる角度より上の臨界角は、光ガイド10の材料および周囲媒体、例えば空気、の光学的屈折率に依存する。例えば、周囲空気を伴うシリコーン光ガイドについて、臨界角は概ね４５．１７°である。臨界角より上の入射角で境界面12、14に当たっている光は、TIRのせいで完全に反射される。
【００２６】
図２は、光ガイド10のエッジ16に沿って配置された光源18およびコリメータ20をより詳細に示している、拡大した断面図である。
【００２７】
光源18およびコリメータ20は、光ガイド10の透明材料の中に埋め込まれている。光源18は、エッジ16に沿って配置された側面発光LEDの列（row）のうち１つである。光軸または前方方向（forward  direction）Fは、光ガイド10の長さLに沿ったLED18の発光面の中心から定めることができる。つまり、上面12に対して平行である。示される実施例においては、光ガイド10の下面14が上面12と平行に配置されているので、前方方向Fも、また、下面14に対して平行である。
【００２８】
示される実施例において、光源18は、第１、上部のコリメータ部材22と、第２、下部のコリメータ部材24との間に配置されている。光源18の高さは、上部コリメータ部材22と下部コリメータ部材24との間の最小距離に対応してよい。コリメータ部材それぞれは、エッジ16に対して平行に配置された平面ミラー要素（plane  mirror  elements）である。
【００２９】
コリメータ20は、対向する内側リフレクタ面26a、26bを含んでいる。第１リフレクタ面26aは、第１コリメータ部材22上に配置されており、第２、下側のリフレクタ面26bは、第２リフレクタ部材24上に配置されている。
【００３０】
第１コリメータ部材22は、光源18の前方に面する発光面から測定して、第１コリメータ長さL1だけ前方方向Fに対して平行に延びている。第２リフレクタ部材24は、前方方向Fに対して平行に延びている第１部分24aと、前方方向Fに関して角度αだけ傾いて配置された第１部分24bを含んでいる。第２コリメータ部材24は、光源18から測定して、第２コリメータ長さL2だけ前方方向Fへと延びている。
【００３１】
長さL2は、長さL1よりも大きい。示される実施例において、前方方向Fに関する内側リフレクタ面26aの角度αは、約１５°である。長さL2は、長さL1よりも約８０％大きい。
【００３２】
コリメータ20の形状は、このように、非対称である。
【００３３】
コリメータ20の内側面26a、26bは、光源18から放射されるビームの幅を深さ方向Dにおいて制限するように構成されており、そうして、放射される全ての光は、放射された全ての光が光ガイド10へと結合され、その上面12または下面14のいずれかにおいて全内部反射を受ける。前方方向Fに対して比較的平行に方向付けられていないランバート発光器（lambertian  emitter）としての光源18からの光は、第１及び／又は第２リフレクタ面26a、26bで反射される。典型的なビーム経路が図２に示されている。傾斜した下部リフレクタ面26bにおける光線の各反射は、厚さ方向Dに関して、角度を角度αの２倍だけ増加させる。
【００３４】
示されるように、リフレクタ部材22、24の角度αおよび長さL1、L2は、コリメータから放射される各光線および全ての光線が、上面12または下面14に当たるときに、臨界角よりも高い入射角Θを有するように選択される。そして、従って、全内部反射を受け、かつ、光ガイド12の中を伝搬する。
【００３５】
図２に示されるように、コリメータ20の厚さdは比較的小さい。第１リフレクタ部材22は傾斜していないので、厚さdに対して実質的には寄与しない。第２コリメータ部材24の第２部分24bは、比較的小さい角度、本実施例では、α＝１５°で延びている。全体の厚さdは、従って、比較的小さく保たれる。さらに、示されるように、光源18から放射される全ての光は、全内部反射を受け、そして、光ガイド10の中を伝搬する。
【００３６】
図３は、埋め込まれた光源18およびコリメータ20'を有する光ガイド10に係る第２の実施形態を示している。第２の実施例は、図２に従って、コリメータ20'のわずかに異なる形状により、第１の実施例とは異なるものである。以下の説明は、実施形態間の相違について焦点をあてている。共通の要素は同様な数字によって示される。
【００３７】
第２実施例におけるコリメータ20'は、より小さい角度α＝１０°で傾斜した下部リフレクタ面26bを有している。
【００３８】
図２の実施例は、内部全反射を受けるように光の向きを変える（redirecting）ために実際に必要とされる寸法よりもわずかに小さく、故意に構成されてきている。１つの光線30、下部リフレクタ面26bで２回および上部リフレクタ面26aで３回の反射を受けているものは、厳密に臨界角Θｃで光ガイド10の下面14に当たっている。
【００３９】
従って、当業者であれば、光源18から放射される全ての光について全内部反射を確保するためには、わずかに大きいだけの長さL2を有する下部リフレクタ面26bを備えることで十分であることを理解するだろう。
【００４０】
上記の実施形態は本発明を限定するものではなく、かつ、むしろ、当業者であれば、添付の特許請求の範囲から逸脱することなく多くの代替的な実施形態を設計し得るだろうことに留意すべきである。例えば、光ガイドの形状は、上記の実施例に示された光ガイド10と異なってよい。対向する平行な表面12、14を有する平坦な形状ではなく、むしり、光ガイド10は、例えば、丸く、細長く、または、傾斜した表面を有してよい。
【００４１】
また、コリメータの実際の形状は、上記のコリメータ20、20'と異なってもよい。特に、下部リフレクタ面26bの角度α、および、長さL1、L2は変化してよい。
【００４２】
放射される全ての光についてTIR条件を達成するために、角度αおよび長さL1、L2について、相互に依存して異なる値が選択され得る。全反射を確保するために必要とされる下部リフレクタ面26bでの反射回数は、臨界角と下部リフレクタ面26bの角度αに依存している。
【００４３】
例えば、１．４１の光ガイド12の材料の屈折率（シリコーン材料について、空気に対する境界面での臨界角４５．１７°を生じている）、および、０．５２ｍｍの光源の高さ（または、上部リフレクタ面26aと下部リフレクタ面26bの最近接距離）を考慮すると、２２．５°より大きい角度αについて、上面12または下面14において臨界角より大きい入射角を達成するためには、下部リフレクタ面26bでの１回だけの反射が必要とされるだろう。１１．２５°と２２．５°との間の角度については、最低２回の反射が必要とされるだろう。７．５°と１１．２５°との間の角度については、最低３回、そして、７．５°より下の角度については、少なくとも４回の反射が必要とされるだろう。長さL1、L2は、従って、必要とされる最小限の数の反射を達成し、かつ、全てのビームがTIR条件の下で放射されることを確保するように、選択されることを要する。
【００４４】
図４は、０．５２ｍｍの光源の高さおよび１．４１の屈折率の実施例についてコリメータ20の寸法のダイヤグラムを示している。横軸に示されるのは、下部リフレクタ面26bの角度αの値である。縦軸に示されるのは、上部リフレクタ面26aと下部リフレクタ面26bの長さL1、L2について、および、全体的なコリメータの厚さd（または、深さ方向において測定された、高さ）について、結果としての最小値である。
【００４５】
目に見えるように、７．５°未満の角度αについては、比較的長いコリメータ20が必要とされる。７．５°およびそれ以上のαに対する値から、長さについて必要とされる値は、ほぼ直線的に減少している。全体的なコリメータの厚さdは、２．５°の角度での概ね０．８ｍｍから、約２２．５°の角度での約１．２ｍｍまで、ほぼ直線的に増加する。すべての実施例において、小さなコリメータの厚さdが達成されるように、全コリメータ厚さdは、むしろ全体的にほとんど変化しないことが観察され得る。
【００４６】
図４に示されるように、角度αに対する長さL1、L2の全体的な依存性は、非線形である。長さL2が長さL1より大きい比率が、図４の実施例について以下の表に示されている。
【表１】
2019516227.tif 000003
【００４７】
請求項において、括弧内に置かれたあらゆる参照符号も、特許請求の範囲を限定するものとして解釈されるべきではない。用語「含む（”comprising”）」は、請求項において列挙された要素またはステップ以外のものの存在を排除するものではない。要素に先行する単語「１つの（”a”または”an”）」は、複数のそうした要素の存在を排除するものではない。所定の手段が相互に異なる従属請求項において引用されているという単なる事実は、これらの手段の組み合わせが有利に使用できないことを示すものではない。
【図１】
2019516227.tif 000004
【図２】
2019516227.tif 000005
【図３】
2019516227.tif 000006
【図４】
2019516227.tif 000007
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
光源と、
少なくとも第１外側面および第２外側面を含む光ガイドであり、
前記第１外側面および前記第２外側面は、前記光ガイドの対向する側面に配置されており、
前方方向が、前記光ガイドに沿って前記光源から前記第１外側面に対して平行に延びている、
光ガイドと、
前記第２外側面に向いて面している第１リフレクタ面を含む、コリメータと、
を含み、
前記第１リフレクタ面は、前記前方方向に対して少なくとも実質的に平行に配置されており、
前記光源は、前記光ガイドの中に埋め込まれており、
前記コリメータは、前記光ガイドの中に埋め込まれており、
前記コリメータは、前記第１外側面に向いて面している第２リフレクタ面を含み、
前記第２リフレクタ面の少なくとも一部は、前記前方方向に対して角度を成すように配置されており、かつ、
前記光源は、前記第１リフレクタ面と前記第２リフレクタ面との間で光を放射するように構成されている、
照明装置。
【請求項２】
前記第１リフレクタ面は、前記光源から測定して、第１リフレクタ長さだけ前記前方方向へと延びており、
前記第２リフレクタ面は、前記光源から測定して、第２リフレクタ長さだけ前記前方方向へと延びており、
前記第２リフレクタ長さは、前記第１リフレクタ長さよりも大きい、
請求項１に記載の照明装置。
【請求項３】
前記第２リフレクタ長さは、前記第１リフレクタ長さよりも少なくとも２０パーセント大きい、
請求項２に記載の照明装置。
【請求項４】
前記角度、前記第１リフレクタ長さ、および、前記第２リフレクタ長さは、前記光源から放射される光が、前記第１外側面または前記第２外側面での入射角（Θ）が臨界角（Θｃ）よりも大きい方向へと前記光ガイドに沿って方向付けられるように、選択される、
請求項１乃至３いずれか一項に記載の照明装置。
【請求項５】
前記角度は、２．５°から２５°で選択される、
請求項１乃至４いずれか一項に記載の照明装置。
【請求項６】
前記角度は、７°から２０°で選択される、
請求項１乃至５いずれか一項に記載の照明装置。
【請求項７】
前記コリメータは、少なくとも前記第１リフレクタ面を含む第１リフレクタ部材および前記第２リフレクタ面を含む第２リフレクタ部材を含む、
請求項１乃至６いずれか一項に記載の照明装置。
【請求項８】
前記第２リフレクタ面は、少なくとも前記前方方向に対して少なくとも実質的に平行に延びている第１部分および前記前方方向に対して前記角度を成して延びている第２部分を含む、
請求項１乃至７いずれか一項に記載の照明装置。
【請求項９】
前記光ガイドは平坦な形状を有し、前記光源がエッジに配置されている、
請求項１乃至８いずれか一項に記載の照明装置。
【手続補正２】
【補正対象書類名】明細書
【補正対象項目名】０００５
【補正方法】変更
【補正の内容】
【０００５】
米国特許第9297513号は、照明ユニットを伴うディスプレイ装置を開示している。当該照明ユニットは、第１および第２のリフレクタと、照明ユニットの第１および第２のリフレクタの間に配置された光源モジュールと、光源を支持するように構成されたブラケットと、を含んでいる。ブラケットは、第１のリフレクタの一方の側を第２のリフレクタの一方の側に対して接続するように構成されている本体を含む。本装置は、光学部材を含んでよい。空気ガイドが、第２のリフレクタと光学部材との間に画定されてよい。
【手続補正３】
【補正対象書類名】明細書
【補正対象項目名】０００６
【補正方法】変更
【補正の内容】
【０００６】
米国特許出願第2008/0186733号は、光ガイド板および光源を含むバックライトモジュールを開示している。光源には、基板上に複数の発光ダイオードが備えられている。光ガイド板の一方側には複数のリセスが配置されており、各発光ダイオードそれぞれにより適所の挿入ができ、従って、光源から放射された光は光ガイド板の側面から入ることができる。発光ダイオードは、対向する第１および第２の側面を有するケーシングの中に置かれてよい。
【国際調査報告】
2019516227.tif 000008
2019516227.tif 000009
2019516227.tif 000010